(57)【要約】【課題】  携帯端末装置のユーザが特定のエリアに侵入したときにセキュリティ動作を実行することが可能なセキュリティシステムを提供する。【解決手段】  双方向通信型のＲＦ−ＩＤ１５を備える携帯端末装置１０と、特定エリア４０内においてＲＦ−ＩＤ１５により受信可能な無線信号を発信するサーバ２０とを備えるセキュリティシステム１００である。携帯端末装置１０は、ＲＦ−ＩＤ１５がサーバ２０からの無線信号を受信した場合に、セキュリティ動作を実行する。ＲＦ−ＩＤ１５は、サーバ２０からの無線信号を受信すると、サーバ２０に対して応答信号を発信し、サーバ２０は、ＲＦ−ＩＤ１５からの応答信号を受信した場合に、セキュリティ動作を実行する。【選択図】    図１
2008234562.tif 000002
【特許請求の範囲】
【請求項１】
双方向通信型のＲＦ−ＩＤを備える携帯端末装置と、
特定エリア内において前記ＲＦ−ＩＤにより受信可能な無線信号を発信するサーバと、
を備え、
前記携帯端末装置は、前記ＲＦ−ＩＤが前記サーバからの無線信号を受信した場合に、セキュリティ動作を実行することを特徴とするセキュリティシステム。
【請求項２】
前記サーバは、前記無線信号に、当該サーバと対応する特定エリアにおけるセキュリティレベルを示す信号を含めて発信し、
前記携帯端末装置は、前記サーバからの無線信号に基づいて、当該携帯端末装置が位置するエリアにおけるセキュリティレベルを判定し、判定したセキュリティレベルに応じたセキュリティ動作を実行することを特徴とする請求項１に記載のセキュリティシステム。
【請求項３】
前記携帯端末装置は、前記ＲＦ−ＩＤが前記サーバからの無線信号を受信した場合に、当該携帯端末装置が実行可能な機能をセキュリティ関連の機能だけに制限することを特徴とする請求項１又は２に記載のセキュリティシステム。
【請求項４】
前記携帯端末装置の前記ＲＦ−ＩＤは、前記サーバからの無線信号を受信すると、前記サーバに対して応答信号を発信し、
前記サーバは、前記ＲＦ−ＩＤからの応答信号を受信した場合に、セキュリティ動作を実行することを特徴とする請求項１乃至３の何れか一項に記載のセキュリティシステム。
【請求項５】
双方向通信型のＲＦ−ＩＤを備える携帯端末装置と、
特定エリア内において前記ＲＦ−ＩＤにより受信可能な無線信号を発信するサーバと、
を備え、
前記携帯端末装置の前記ＲＦ−ＩＤは、前記サーバからの無線信号を受信すると、前記サーバに対して応答信号を発信し、
前記サーバは、前記ＲＦ−ＩＤからの応答信号を受信した場合に、セキュリティ動作を実行することを特徴とするセキュリティシステム。
【請求項６】
前記携帯端末装置の前記ＲＦ−ＩＤが発信する応答信号には、当該ＲＦ−ＩＤの識別情報が含まれ、
前記サーバは、前記ＲＦ−ＩＤからの応答信号を受信した場合に、該応答信号に含まれる識別信号に基づいて、前記特定エリア内に侵入したユーザを判定し、ユーザに応じたセキュリティ動作を実行することを特徴とする請求項４又は５に記載のセキュリティシステム。
【請求項７】
近距離無線通信が可能な近距離無線手段を備える携帯端末装置と、
特定エリア内において前記近距離無線手段により受信可能な無線信号を発信するサーバと、
を備え、
前記携帯端末装置は、前記近距離無線手段が前記サーバからの無線信号を受信した場合に、セキュリティ動作を実行することを特徴とするセキュリティシステム。
【請求項８】
前記サーバは、前記無線信号に、当該サーバと対応する特定エリアにおけるセキュリティレベルを示す信号を含めて発信し、
前記携帯端末装置は、前記サーバからの近距離無線信号に基づいて、当該サーバと対応する特定エリアにおけるセキュリティレベルを判定し、判定したセキュリティレベルに応じたセキュリティ動作を実行することを特徴とする請求項７に記載のセキュリティシステム。
【請求項９】
前記携帯端末装置は、前記近距離無線手段が前記サーバからの無線信号を受信した場合に、当該携帯端末装置が実行可能な機能をセキュリティ関連の機能だけに制限することを特徴とする請求項７又は８に記載のセキュリティシステム。
【請求項１０】
前記携帯端末装置は、前記近距離無線手段が前記サーバからの無線信号を受信すると、前記近距離無線手段から前記サーバに対して応答信号を発信し、
前記サーバは、前記近距離無線手段からの応答信号を受信した場合に、セキュリティ動作を実行することを特徴とする請求項７乃至９の何れか一項に記載のセキュリティシステム。
【請求項１１】
近距離無線通信が可能な近距離無線手段を備える携帯端末装置と、
特定エリア内において前記近距離無線手段により受信可能な無線信号を発信するサーバと、
を備え、
前記携帯端末装置は、前記近距離無線手段が前記サーバからの無線信号を受信すると、前記近距離無線手段から前記サーバに対して応答信号を発信し、
前記サーバは、前記近距離無線手段からの応答信号を受信した場合に、セキュリティ動作を実行することを特徴とするセキュリティシステム。
【請求項１２】
前記携帯端末装置の前記近距離無線手段が発信する応答信号には、当該携帯端末装置のユーザの識別情報が含まれ、
前記サーバは、前記近距離無線手段からの応答信号を受信した場合に、該応答信号に含まれる識別信号に基づいて、前記特定エリア内に侵入したユーザを判定し、ユーザに応じたセキュリティ動作を実行することを特徴とする請求項１０又は１１に記載のセキュリティシステム。
【請求項１３】
双方向通信型のＲＦ−ＩＤを備え、前記ＲＦ−ＩＤが無線信号を受信した場合に、セキュリティ動作を実行することを特徴とする携帯端末装置。
【請求項１４】
前記携帯端末装置は、前記無線信号に含まれるセキュリティレベルを示す信号に基づいて、当該携帯端末装置が位置するエリアにおけるセキュリティレベルを判定し、判定したセキュリティレベルに応じたセキュリティ動作を実行することを特徴とする請求項１３に記載の携帯端末装置。
【請求項１５】
前記携帯端末装置は、前記ＲＦ−ＩＤが前記無線信号を受信した場合に、当該携帯端末装置が実行可能な機能をセキュリティ関連の機能だけに制限することを特徴とする請求項１３又は１４に記載の携帯端末装置。
【請求項１６】
前記携帯端末装置の前記ＲＦ−ＩＤは、前記無線信号を受信すると、セキュリティ動作を要求する応答信号を発信することを特徴とする請求項１３乃至１５の何れか一項に記載の携帯端末装置。
【請求項１７】
双方向通信型のＲＦ−ＩＤを備え、前記ＲＦ−ＩＤは、無線信号を受信すると、セキュリティ動作を要求する応答信号を発信することを特徴とする携帯端末装置。
【請求項１８】
前記ＲＦ−ＩＤが発信する応答信号には、当該ＲＦ−ＩＤの識別情報が含まれていることを特徴とする請求項１６又は１７に記載の携帯端末装置。
【請求項１９】
近距離無線通信が可能な近距離無線手段を備え、前記近距離無線手段が無線信号を受信した場合に、セキュリティ動作を実行することを特徴とする携帯端末装置。
【請求項２０】
前記携帯端末装置は、前記無線信号に含まれるセキュリティレベルを示す信号に基づいて、当該携帯端末装置が位置するエリアにおけるセキュリティレベルを判定し、判定したセキュリティレベルに応じたセキュリティ動作を実行することを特徴とする請求項１９に記載の携帯端末装置。
【請求項２１】
前記携帯端末装置は、前記近距離無線手段が前記無線信号を受信した場合に、当該携帯端末装置が実行可能な機能をセキュリティ関連の機能だけに制限することを特徴とする請求項１９又は２０に記載の携帯端末装置。
【請求項２２】
前記携帯端末装置は、前記近距離無線手段が前記無線信号を受信すると、セキュリティ動作を要求する応答信号を前記近距離無線手段から発信することを特徴とする請求項１９乃至２１の何れか一項に記載の携帯端末装置。
【請求項２３】
近距離無線通信が可能な近距離無線手段を備え、前記近距離無線手段が無線信号を受信すると、セキュリティ動作を要求する応答信号を前記近距離無線手段から発信することを特徴とする携帯端末装置。
【請求項２４】
前記近距離無線手段が発信する応答信号には、当該携帯端末装置のユーザの識別情報が含まれていることを特徴とする請求項２２又は２３に記載の携帯端末装置。
【請求項２５】
当該携帯端末装置は、携帯電話機であることを特徴とする請求項１３乃至２４の何れか一項に記載の携帯端末装置。
【請求項２６】
携帯端末装置が備える双方向通信型のＲＦ−ＩＤにより特定エリア内において受信可能な無線信号を発信し、
前記携帯端末装置の前記ＲＦ−ＩＤから、前記無線信号に対する応答信号を受信した場合に、セキュリティ動作を実行することを特徴とするサーバ。
【請求項２７】
携帯端末装置が備える近距離無線手段により特定エリア内において受信可能な無線信号を発信し、
前記携帯端末装置の前記近距離無線手段から、前記無線信号に対する応答信号を受信した場合に、セキュリティ動作を実行することを特徴とするサーバ。
【請求項２８】
双方向通信型のＲＦ−ＩＤを備える携帯端末装置と、特定エリア内において前記ＲＦ−ＩＤにより受信可能な無線信号を発信するサーバと、を備えるセキュリティシステムが実行するセキュリティ方法であって、
前記サーバから無線信号を発信する第１の過程と、
前記携帯端末装置の前記ＲＦ−ＩＤが前記サーバからの無線信号を受信した場合に、当該携帯端末装置がセキュリティ動作を実行する第２の過程と、
を備えることを特徴とするセキュリティ方法。
【請求項２９】
双方向通信型のＲＦ−ＩＤを備える携帯端末装置と、特定エリア内において前記ＲＦ−ＩＤにより受信可能な無線信号を発信するサーバと、を備えるセキュリティシステムが実行するセキュリティ方法であって、
前記サーバから無線信号を発信する第１の過程と、
前記携帯端末装置の前記ＲＦ−ＩＤが前記サーバからの無線信号を受信した場合に、当該携帯端末装置のＲＦ−ＩＤが応答信号を発信する第２の過程と、
前記サーバが前記応答信号を受信した場合に、当該サーバがセキュリティ動作を実行する第３の過程と、
を備えることを特徴とするセキュリティ方法。
【請求項３０】
近距離無線手段を備える携帯端末装置と、特定エリア内において前記近距離無線手段により受信可能な無線信号を発信するサーバと、を備えるセキュリティシステムが実行するセキュリティ方法であって、
前記サーバから無線信号を発信する第１の過程と、
前記携帯端末装置の前記近距離無線手段が前記サーバからの無線信号を受信した場合に、当該携帯端末装置がセキュリティ動作を実行する第２の過程と、
を備えることを特徴とするセキュリティ方法。
【請求項３１】
近距離無線手段を備える携帯端末装置と、特定エリア内において前記近距離無線手段により受信可能な無線信号を発信するサーバと、を備えるセキュリティシステムが実行するセキュリティ方法であって、
前記サーバから無線信号を発信する第１の過程と、
前記携帯端末装置の前記近距離無線手段が前記サーバからの無線信号を受信した場合に、当該携帯端末装置の前記近距離無線手段が応答信号を発信する第２の過程と、
前記サーバが前記応答信号を受信した場合に、当該サーバがセキュリティ動作を実行する第３の過程と、
を備えることを特徴とするセキュリティ方法。
【発明の詳細な説明】
【技術分野】
【０００１】
本発明は、セキュリティシステム、携帯端末装置、サーバ及びセキュリティ方法に関する。
【背景技術】
【０００２】
携帯電話機或いはその他の携帯端末装置を用いて各種のセキュリティ動作を行う従来技術としては、例えば、特許文献１の技術がある。
【０００３】
特許文献１には、家屋内に設置され、一定の通信可能圏内において無線通信が可能な無線通信基地局と、前記通信可能圏内において前記無線通信基地局と無線通信が可能な携帯無線端末装置と、を備え、前記携帯無線端末装置が前記通信可能圏内にないときには、前記携帯無線端末装置が通信可能圏内にあるときよりも、セキュリティシステムを高いセキュリティレベルに設定する技術が開示されている。
【特許文献１】特開２００４−２０８０２１号公報
【発明の開示】
【発明が解決しようとする課題】
【０００４】
ところで、携帯端末装置のユーザは、普段から通りなれている場所で突然工事が始まった場合や、初めて訪れる場所に危険なエリアがあった場合、そのエリアが危険であることを知ることができない。
【０００５】
また、子供などが工事現場などの危険なエリアや治安の悪いエリアに近づいた場合、事故や事件などを未然に防ぐことができず、その発生後でないと工事現場責任者や保護者などが知ることができない、というケースもたくさんあった。
【０００６】
このため、携帯端末装置のユーザが特定のエリアに侵入したときにセキュリティ動作を実行することが可能なセキュリティシステムが望まれる。
【０００７】
本発明は、上記のような問題点を解決するためになされたもので、携帯端末装置のユーザが特定のエリアに侵入したときにセキュリティ動作を実行することが可能なセキュリティシステム、携帯端末装置、サーバ及びセキュリティ方法を提供することを目的とする。
【０００８】
なお、上記の特許文献１の技術は、家屋に対するセキュリティシステムを、住人が家屋から離れたときに高いセキュリティレベルで動作させるためのものに過ぎないため、上記の問題点を解決することはできない。
【課題を解決するための手段】
【０００９】
上記課題を解決するため、本発明のセキュリティシステムは、双方向通信型のＲＦ−ＩＤ（Ｒａｄｉｏ  Ｆｒｅｑｕｅｎｃｙ  ＩＤｅｎｔｉｆｉｃａｔｉｏｎ）を備える携帯端末装置と、特定エリア内において前記ＲＦ−ＩＤにより受信可能な無線信号を発信するサーバと、を備え、前記携帯端末装置は、前記ＲＦ−ＩＤが前記サーバからの無線信号を受信した場合に、セキュリティ動作を実行することを特徴としている。
【００１０】
本発明のセキュリティシステムにおいては、前記サーバは、前記無線信号に、当該サーバと対応する特定エリアにおけるセキュリティレベルを示す信号を含めて発信し、前記携帯端末装置は、前記サーバからの無線信号に基づいて、当該携帯端末装置が位置するエリアにおけるセキュリティレベルを判定し、判定したセキュリティレベルに応じたセキュリティ動作を実行することが好ましい。
【００１１】
本発明のセキュリティシステムにおいては、前記携帯端末装置は、前記ＲＦ−ＩＤが前記サーバからの無線信号を受信した場合に、当該携帯端末装置が実行可能な機能をセキュリティ関連の機能だけに制限することが好ましい。
【００１２】
本発明のセキュリティシステムにおいては、前記携帯端末装置の前記ＲＦ−ＩＤは、前記サーバからの無線信号を受信すると、前記サーバに対して応答信号を発信し、前記サーバは、前記ＲＦ−ＩＤからの応答信号を受信した場合に、セキュリティ動作を実行することが好ましい。
【００１３】
また、本発明のセキュリティシステムは、双方向通信型のＲＦ−ＩＤを備える携帯端末装置と、特定エリア内において前記ＲＦ−ＩＤにより受信可能な無線信号を発信するサーバと、を備え、前記携帯端末装置の前記ＲＦ−ＩＤは、前記サーバからの無線信号を受信すると、前記サーバに対して応答信号を発信し、前記サーバは、前記ＲＦ−ＩＤからの応答信号を受信した場合に、セキュリティ動作を実行することを特徴としている。
【００１４】
本発明のセキュリティシステムにおいては、前記携帯端末装置の前記ＲＦ−ＩＤが発信する応答信号には、当該ＲＦ−ＩＤの識別情報が含まれ、前記サーバは、前記ＲＦ−ＩＤからの応答信号を受信した場合に、該応答信号に含まれる識別信号に基づいて、前記特定エリア内に侵入したユーザを判定し、ユーザに応じたセキュリティ動作を実行することが好ましい。
【００１５】
また、本発明のセキュリティシステムは、近距離無線通信が可能な近距離無線手段を備える携帯端末装置と、特定エリア内において前記近距離無線手段により受信可能な無線信号を発信するサーバと、を備え、前記携帯端末装置は、前記近距離無線手段が前記サーバからの無線信号を受信した場合に、セキュリティ動作を実行することを特徴としている。
【００１６】
本発明のセキュリティシステムにおいては、前記サーバは、前記無線信号に、当該サーバと対応する特定エリアにおけるセキュリティレベルを示す信号を含めて発信し、前記携帯端末装置は、前記サーバからの近距離無線信号に基づいて、当該サーバと対応する特定エリアにおけるセキュリティレベルを判定し、判定したセキュリティレベルに応じたセキュリティ動作を実行することが好ましい。
【００１７】
本発明のセキュリティシステムにおいては、前記携帯端末装置は、前記近距離無線手段が前記サーバからの無線信号を受信した場合に、当該携帯端末装置が実行可能な機能をセキュリティ関連の機能だけに制限することが好ましい。
【００１８】
本発明のセキュリティシステムにおいては、前記携帯端末装置は、前記近距離無線手段が前記サーバからの無線信号を受信すると、前記近距離無線手段から前記サーバに対して応答信号を発信し、前記サーバは、前記近距離無線手段からの応答信号を受信した場合に、セキュリティ動作を実行することが好ましい。
【００１９】
また、本発明のセキュリティシステムは、近距離無線通信が可能な近距離無線手段を備える携帯端末装置と、特定エリア内において前記近距離無線手段により受信可能な無線信号を発信するサーバと、を備え、前記携帯端末装置は、前記近距離無線手段が前記サーバからの無線信号を受信すると、前記近距離無線手段から前記サーバに対して応答信号を発信し、前記サーバは、前記近距離無線手段からの応答信号を受信した場合に、セキュリティ動作を実行することを特徴としている。
【００２０】
本発明のセキュリティシステムにおいては、前記携帯端末装置の前記近距離無線手段が発信する応答信号には、当該携帯端末装置のユーザの識別情報が含まれ、前記サーバは、前記近距離無線手段からの応答信号を受信した場合に、該応答信号に含まれる識別信号に基づいて、前記特定エリア内に侵入したユーザを判定し、ユーザに応じたセキュリティ動作を実行することが好ましい。
【００２１】
また、本発明の携帯端末装置は、双方向通信型のＲＦ−ＩＤを備え、前記ＲＦ−ＩＤが無線信号を受信した場合に、セキュリティ動作を実行することを特徴としている。
【００２２】
本発明の携帯端末装置においては、前記携帯端末装置は、前記無線信号に含まれるセキュリティレベルを示す信号に基づいて、当該携帯端末装置が位置するエリアにおけるセキュリティレベルを判定し、判定したセキュリティレベルに応じたセキュリティ動作を実行することが好ましい。
【００２３】
本発明の携帯端末装置においては、前記携帯端末装置は、前記ＲＦ−ＩＤが前記無線信号を受信した場合に、当該携帯端末装置が実行可能な機能をセキュリティ関連の機能だけに制限することが好ましい。
【００２４】
本発明の携帯端末装置においては、前記携帯端末装置の前記ＲＦ−ＩＤは、前記無線信号を受信すると、セキュリティ動作を要求する応答信号を発信することが好ましい。
【００２５】
また、本発明の携帯端末装置は、双方向通信型のＲＦ−ＩＤを備え、前記ＲＦ−ＩＤは、無線信号を受信すると、セキュリティ動作を要求する応答信号を発信することを特徴としている。
【００２６】
本発明の携帯端末装置においては、前記ＲＦ−ＩＤが発信する応答信号には、当該ＲＦ−ＩＤの識別情報が含まれていることが好ましい。
【００２７】
また、本発明の携帯端末装置は、近距離無線通信が可能な近距離無線手段を備え、前記近距離無線手段が無線信号を受信した場合に、セキュリティ動作を実行することを特徴としている。
【００２８】
本発明の携帯端末装置においては、前記携帯端末装置は、前記無線信号に含まれるセキュリティレベルを示す信号に基づいて、当該携帯端末装置が位置するエリアにおけるセキュリティレベルを判定し、判定したセキュリティレベルに応じたセキュリティ動作を実行することが好ましい。
【００２９】
本発明の携帯端末装置においては、前記携帯端末装置は、前記近距離無線手段が前記無線信号を受信した場合に、当該携帯端末装置が実行可能な機能をセキュリティ関連の機能だけに制限することが好ましい。
【００３０】
本発明の携帯端末装置においては、前記携帯端末装置は、前記近距離無線手段が前記無線信号を受信すると、セキュリティ動作を要求する応答信号を前記近距離無線手段から発信することが好ましい。
【００３１】
また、本発明の携帯端末装置は、近距離無線通信が可能な近距離無線手段を備え、前記近距離無線手段が無線信号を受信すると、セキュリティ動作を要求する応答信号を前記近距離無線手段から発信することを特徴としている。
【００３２】
本発明の携帯端末装置においては、前記近距離無線手段が発信する応答信号には、当該携帯端末装置のユーザの識別情報が含まれていることが好ましい。
【００３３】
本発明の携帯端末装置は、携帯電話機であることを好ましい例とする。
【００３４】
また、本発明のサーバは、携帯端末装置が備える双方向通信型のＲＦ−ＩＤにより特定エリア内において受信可能な無線信号を発信し、前記携帯端末装置の前記ＲＦ−ＩＤから、前記無線信号に対する応答信号を受信した場合に、セキュリティ動作を実行することを特徴としている。
【００３５】
また、本発明のサーバは、携帯端末装置が備える近距離無線手段により特定エリア内において受信可能な無線信号を発信し、前記携帯端末装置の前記近距離無線手段から、前記無線信号に対する応答信号を受信した場合に、セキュリティ動作を実行することを特徴としている。
【００３６】
また、本発明のセキュリティ方法は、双方向通信型のＲＦ−ＩＤを備える携帯端末装置と、特定エリア内において前記ＲＦ−ＩＤにより受信可能な無線信号を発信するサーバと、を備えるセキュリティシステムが実行するセキュリティ方法であって、前記サーバから無線信号を発信する第１の過程と、前記携帯端末装置の前記ＲＦ−ＩＤが前記サーバからの無線信号を受信した場合に、当該携帯端末装置がセキュリティ動作を実行する第２の過程と、を備えることを特徴としている。
【００３７】
また、本発明のセキュリティ方法は、双方向通信型のＲＦ−ＩＤを備える携帯端末装置と、特定エリア内において前記ＲＦ−ＩＤにより受信可能な無線信号を発信するサーバと、を備えるセキュリティシステムが実行するセキュリティ方法であって、前記サーバから無線信号を発信する第１の過程と、前記携帯端末装置の前記ＲＦ−ＩＤが前記サーバからの無線信号を受信した場合に、当該携帯端末装置のＲＦ−ＩＤが応答信号を発信する第２の過程と、前記サーバが前記応答信号を受信した場合に、当該サーバがセキュリティ動作を実行する第３の過程と、を備えることを特徴としている。
【００３８】
また、本発明のセキュリティ方法は、近距離無線手段を備える携帯端末装置と、特定エリア内において前記近距離無線手段により受信可能な無線信号を発信するサーバと、を備えるセキュリティシステムが実行するセキュリティ方法であって、前記サーバから無線信号を発信する第１の過程と、前記携帯端末装置の前記近距離無線手段が前記サーバからの無線信号を受信した場合に、当該携帯端末装置がセキュリティ動作を実行する第２の過程と、を備えることを特徴としている。
【００３９】
また、本発明のセキュリティ方法は、近距離無線手段を備える携帯端末装置と、特定エリア内において前記近距離無線手段により受信可能な無線信号を発信するサーバと、を備えるセキュリティシステムが実行するセキュリティ方法であって、前記サーバから無線信号を発信する第１の過程と、前記携帯端末装置の前記近距離無線手段が前記サーバからの無線信号を受信した場合に、当該携帯端末装置の前記近距離無線手段が応答信号を発信する第２の過程と、前記サーバが前記応答信号を受信した場合に、当該サーバがセキュリティ動作を実行する第３の過程と、を備えることを特徴としている。
【発明の効果】
【００４０】
本発明によれば、携帯端末装置のユーザが特定のエリアに侵入したときに、携帯端末装置がセキュリティ動作を実行することが可能であるので、事故や犯罪などを事前に防止することができる。
【００４１】
或いは、本発明によれば、携帯端末装置のユーザが特定のエリアに侵入したときに、サーバがセキュリティ動作を実行することが可能であるので、事故や犯罪などを事前に防止することができる。
【発明を実施するための最良の形態】
【００４２】
以下、図面を参照して、本発明に係る実施形態について説明する。
【００４３】
図１は実施形態に係るセキュリティシステム１００の全体構成を示す模式的なブロック図である。
【００４４】
図１に示すように、本実施形態に係るセキュリティシステム１００は、例えば、ユーザに携帯される携帯電話機１０と、特定エリア４０内に無線信号を発信するサーバ２０と、携帯電話機１０に予め通報先として登録されている第三者端末３０と、を備えている。
【００４５】
図２は携帯電話機１０の構成を示すブロック図である。
【００４６】
図２に示すように、携帯電話機１０は、図示しない携帯電話基地局との間で無線通信を行う無線通信部１１と、液晶表示装置などからなり各種の表示動作を行う表示部１２と、アラーム報知或いはその他の発音動作を行う発音部（スピーカ）１３と、ユーザによる各種の操作を受け付ける操作部１４と、特定エリア４０内においてサーバ２０との間で双方向の無線通信を行うＲＦ−ＩＤ（Ｒａｄｉｏ  Ｆｒｅｑｕｅｎｃｙ  ＩＤｅｎｔｉｆｉｃａｔｉｏｎ）１５と、計時動作を行うタイマー１７と、無線通信部１１，表示部１２、発音部１３及びタイマー１７の動作制御の他、各種の制御動作を行う制御部１６と、を備えて構成されている。
【００４７】
制御部１６は、ＣＰＵと、このＣＰＵの動作用プログラムを格納したＲＯＭと、ＣＰＵの作業領域などとして機能するＲＡＭと、を備え、ＣＰＵが動作用プログラムに従った処理を実行することにより、後述するような各種の動作を実現する。
【００４８】
図３はサーバ２０の構成を示すブロック図である。
【００４９】
図３に示すように、サーバ２０は、携帯電話機１０のＲＦ−ＩＤ１５との間で無線通信を行うＲＦ−ＩＤ用無線通信部２１と、第三者端末３０などに対する緊急呼を行ったり、携帯電話機１０のキャリアとの間で無線通信を行う無線通信部２２と、アラーム報知などを行う発音部（スピーカ）２３と、無線通信部２２及び発音部２３の動作制御を行う制御部２４と、を備えて構成されている。
【００５０】
制御部２４は、ＣＰＵと、このＣＰＵの動作用プログラムを格納したＲＯＭと、ＣＰＵの作業領域などとして機能するＲＡＭと、を備え、ＣＰＵが動作用プログラムに従った処理を実行することにより、後述するような各種の動作を実現する。
【００５１】
サーバ２０は、特定エリア４０内に設置されている。
【００５２】
サーバ２０のＲＦ−ＩＤ用無線通信部２１は、特定エリア４０内において携帯電話機１０のＲＦ−ＩＤ１５との間で双方向の無線通信を行う。
【００５３】
なお、携帯電話機１０のＲＦ−ＩＤ１５が、サーバ２０のＲＦ−ＩＤ用無線通信部２１からの無線信号を受信可能な範囲は、サーバ２０が設置された特定エリア４０の範囲内であるものとする。
【００５４】
ＲＦ−ＩＤ用無線通信部２１が送信する無線信号には、サーバ２０が設置された特定エリア４０のセキュリティレベルを示す情報が含まれている。
【００５５】
携帯電話機１０のＲＦ−ＩＤ１５は、サーバ２０からの無線信号を受信すると、該無線信号を制御部１６に入力する。制御部１６は、ＲＦ−ＩＤ１５から入力される無線信号を解析し、携帯電話機１０が現在存在するエリアのセキュリティレベルを判定し、その判定結果に応じたセキュリティ動作を実行する。
【００５６】
また、携帯電話機１０のＲＦ−ＩＤ１５は、サーバ２０からの無線信号を受信すると、ＩＤ情報を含む無線信号（応答信号）をサーバ２０に対して送信することにより、サーバ２０に対して必要に応じたセキュリティ動作を要求する。
【００５７】
サーバ２０のＲＦ−ＩＤ用無線通信部２１は、携帯電話機１０のＲＦ−ＩＤ１５からの無線信号を受信すると、該無線信号を制御部２４に入力する。
【００５８】
制御部２４は、ＲＦ−ＩＤ用無線通信部２１から入力された無線信号に含まれるＩＤ情報に基づいて、特定エリア４０内に侵入した携帯電話機１０のユーザを判定し、その判定結果に応じたセキュリティ動作を実行する。
【００５９】
なお、ユーザは、予め、携帯電話機１０及びサーバ２０に対し、セキュリティレベルに応じたセキュリティ動作を設定しておくことが可能である。
【００６０】
次に、動作の詳細を説明する。
【００６１】
図４は携帯電話機１０の動作の流れを示すフローチャートである。
【００６２】
携帯電話機１０の制御部１６は、ＲＦ−ＩＤ１５がサーバ２０からの無線信号を受信したか否かを監視する（ステップＳ１）。
【００６３】
携帯電話機１０のユーザが、携帯電話機１０を携行したままで特定エリア４０内に侵入すると、携帯電話機１０のＲＦ−ＩＤ１５は、サーバ２０からの無線信号を受信し、該無線信号を制御部１６に入力する（ステップＳ１のＹｅｓ）。
【００６４】
すると、制御部１６は、セキュリティ動作用のアプリケーションを起動する（ステップＳ２）。
【００６５】
次に、制御部１６は、ＲＦ−ＩＤ１５から入力された無線信号を解析し、携帯電話機１０が存在するエリア（つまり特定エリア４０）のセキュリティレベルを判定する（ステップＳ３）。
【００６６】
そして、制御部１６は、判定したセキュリティレベルに応じたセキュリティ動作を実行する（ステップＳ４）。
【００６７】
ここで、図５に、セキュリティレベルに応じた携帯電話機１０のセキュリティ動作の具体例を示す。
【００６８】
図５に示すように、例えば、セキュリティレベルが低かった場合の動作としては、単に、携帯電話機１０のユーザに対し、危険区域に侵入した旨を報知するといったセキュリティ動作を実行する。この動作は、例えば、発音部１３からその旨を示す発音動作を行ったり、或いは、表示部１２にその旨を表示させたり、図示しない振動発生部（バイブレータ）を振動させたりすることにより行う。
【００６９】
また、セキュリティレベルが低かった場合（ただし、上記動作を行うときよりはセキュリティレベルが高かった場合）の動作としては、例えば、サーバ２０からの無線信号を受信した時点でタイマー１７による計時動作を開始し、携帯電話機１０が特定エリア４０内に所定時間継続して位置した場合に、防犯アラームを発音部１３から鳴動させる動作が挙げられる。
【００７０】
なお、セキュリティレベルが低ければ「何も行わない」ことも可能である。
【００７１】
また、セキュリティレベルが高かった場合の動作としては、例えば、携帯電話機１０の機能をセキュリティ関連の機能だけに制限し（例えば、ゲーム、緊急呼以外の通話、電子メールなどを使用不可とし）、緊急呼（１１０番通報など）や事前に登録してある番号（例えば、第三者端末３０）への自動発信のみを実行する動作が挙げられる。また、このように携帯電話機１０の機能をセキュリティ関連の機能だけに制限する際には、自動的に緊急呼発信画面を表示部１２に表示し、すぐに緊急呼を発信できる状態とすることも好ましい。
【００７２】
なお、携帯電話機１０のＲＦ−ＩＤ１５がサーバ２０からの無線信号を受信しなくなった場合、自動的にセキュリティ動作用のアプリケーションを終了することも可能である。
【００７３】
また、携帯電話機１０側とは別に、サーバ２０側でも、セキュリティ動作を行う。
【００７４】
図６はサーバ２０の動作の流れを示すフローチャートである。
【００７５】
サーバ２０の制御部２４は、ＲＦ−ＩＤ１５を搭載した携帯電話機１０が特定エリア４０に侵入してきたかどうかを監視する（ステップＳ１１）。
【００７６】
携帯電話機１０のＲＦ−ＩＤ１５は、サーバ２０からの無線信号を受信すると、ＩＤ情報を含む無線信号（ＲＦ−ＩＤ応答信号）をサーバ２０に対して送信し、サーバ２０のＲＦ−ＩＤ用無線通信部２１は、携帯電話機１０のＲＦ−ＩＤ１５からのＲＦ−ＩＤ応答信号を受信し、該受信したＲＦ−ＩＤ応答信号を制御部２４に入力する（ステップＳ１１のＹｅｓ）。
【００７７】
すると、制御部２４は、セキュリティ動作を開始する。すなわち、制御部２４は、先ず、受信したＲＦ−ＩＤ応答信号に含まれるＩＤ情報から携帯電話機１０のユーザを識別する（ステップＳ１２）。ここで、各携帯電話機１０には、各々に対して固有に割り当てられたＲＦ−ＩＤ１５が搭載されており、各ＲＦ−ＩＤ１５は、固有のＩＤ情報を含むＲＦ−ＩＤ応答信号を出力するようになっている。また、キャリアにおいては、ＩＤ情報とユーザの管理を行うものとする。よって、サーバ２０の制御部２４は、無線通信部２２を介して、携帯電話機１０のキャリアからＩＤ情報と対応するユーザ情報を取得することができる。
【００７８】
ステップＳ１２に続いては、サーバ２０の制御部２４は、キャリアから取得したユーザ情報に基づいて、特定エリア４０内に侵入したユーザが、セキュリティ動作を必要とするユーザであるか否かを判定する（ステップＳ１３）。
【００７９】
セキュリティ動作を必要とするユーザであった場合（ステップＳ１３のＹｅｓ）、ユーザに応じたセキュリティ動作を実行する（ステップＳ１４）。
【００８０】
ここで、図７に、セキュリティレベルに応じたサーバ２０のセキュリティ動作の具体例を示す。
【００８１】
図７に示すように、例えば、セキュリティレベルが低かった場合の動作としては、単に、特定エリア４０が工事現場などである場合に、そこでの作業者などに対し、誰かが危険区域に侵入した旨を報知するといったセキュリティ動作を実行する。この動作は、例えば、サーバ２０が備える発音部２３からその旨を示す発音動作を行うことにより実行する。
【００８２】
また、事前に第三者への通知が必要であるという登録がされていれば、サーバ２０の無線通信部２２から第三者端末３０へ（またはサーバ２０の無線通信部２２からキャリア経由で第三者端末３０へ）通知することも可能である。具体的には、例えば、特定エリア４０が未成年者進入禁止の場所である場合に、特定エリア４０内に未成年者の携帯電話機１０が入ってきた場合には、その旨を第三者端末３０へ通知することが挙げられる。
【００８３】
なお、セキュリティレベルが低ければ「何も行わない」ことも可能である。
【００８４】
また、セキュリティレベルが高かった場合の動作としては、例えば、緊急呼（１１０番通報など）による通報を行うことが挙げられる。
【００８５】
なお、ＲＦ−ＩＤ１５を搭載した携帯電話機１０からの応答がなくなった場合、サーバ２０側でも自動的にセキュリティ動作を終了することが可能である。
【００８６】
なお、サーバ２０（またはキャリア）からの通知を受けた第三者端末３０は、例えば、携帯電話機１０との間でテレビ電話などの通信を開始することにより遠隔監視を行ったり、携帯電話機１０が備えるＧＰＳ機能により取得した位置情報により該携帯電話機１０の位置を遠隔監視したり、携帯電話機１０に対して特定の緊急（警告）メッセージを電子メールなどにより送信したり、遠隔操作により携帯電話機１０において強制的に警告（警報）ブザーを鳴動させたりするといったセキュリティ動作を実行する。具体的には、例えば、工事現場などに子供が近づいた場合、事前に登録してある保護者に位置情報などが通知され、保護者はテレビ電話などで現在の状況を監視することができる。
【００８７】
以上のような実施形態によれば、以下の効果が得られる。
【００８８】
１．携帯電話機１０のユーザが特定のエリアに侵入したときに、携帯電話機１０がセキュリティ動作を実行するので、事故や犯罪などを事前に防止することができる。
【００８９】
２．携帯電話機１０のユーザが特定のエリアに侵入したときに、サーバ２０がセキュリティ動作を実行するので、事故や犯罪などを事前に防止することができる。
【００９０】
３．具体的には、双方向通信型のＲＦ−ＩＤ１５を用いることにより、携帯電話機１０側及びサーバ２０側において、それぞれセキュリティ動作を実行することが可能となる。
【００９１】
４．携帯電話機１０側及びサーバ２０側において、それぞれセキュリティレベルに応じたセキュリティ動作を実行可能であるため、各ユーザに対して適切なレベルのセキュリティ動作を提供可能となる。
【００９２】
５．具体的には、工事が突然始まった場合や、初めて出掛ける場所で危険なエリアがあった場合、携帯電話機１０のユーザはその危険性を事前に知ることができないことがほとんどであるが、本実施形態によれば、特定エリア４０に侵入した場合には、セキュリティレベルに応じた通知をユーザに行うことが可能となる。
【００９３】
６．固有に割り当てられたＲＦ−ＩＤ１５により特定の個人を識別することも可能であるので、拡張した自動セキュリティサービスの提供も可能となる。
【００９４】
なお、上記の実施形態では、携帯電話機１０が所定時間以上継続して特定エリア４０内に位置していたと判定した場合に、携帯電話機１０が防犯アラームを鳴動させる例を説明したが、携帯電話機１０が緊急呼を発信しても良い。また、携帯電話機１０が所定時間以上継続して特定エリア４０内に位置していたと判定した場合に、サーバ２０側で防犯アラームや緊急呼を発信しても良い。
【００９５】
なお、上記の実施形態では、携帯電話機１０がサーバ２０からの無線信号に基づいてセキュリティレベルを判定しセキュリティレベルに応じたセキュリティ動作を実行する例を説明したが、このような判定動作を行わず、一律のセキュリティ動作を行うのであっても良い。
【００９６】
また、上記の実施形態では、サーバ２０側では、ＲＦ−ＩＤ１５からの応答信号に基づいて、ユーザに応じたセキュリティ動作を選択的に実行する例を説明したが、サーバ２０ではユーザにかかわらず一律のセキュリティ動作を行うようにしても良い。つまり、ＲＦ−ＩＤ１５からの応答信号にはユーザの識別信号が含まれていなくても良い。
【００９７】
更に、上記の実施形態では、携帯電話機１０が備えるＲＦ−ＩＤ１５が双方向通信型であり、ＲＦ−ＩＤ１５からの応答信号に基づいて、サーバ２０側でもセキュリティ動作を行う例を説明したが、ＲＦ−ＩＤ１５が無線信号の受信のみを行うものであり（応答信号の発信は行わないものであり）、サーバ２０側ではセキュリティ動作を実行しないようにしても良い。
【００９８】
また、上記においては、携帯電話機１０がＲＦ−ＩＤ１５を備える例を説明したが、携帯電話機１０はＲＦ−ＩＤ１５の代わりに、例えば、ブルートゥース（Ｂｌｕｒｔｏｏｔｈ）或いは無線ＬＡＮなどの近距離無線方式での通信をサーバ２０との間で実行する近距離無線手段（図示略）を備えても良い。この場合、（１）携帯電話機１０の近距離無線手段がサーバ２０からの無線信号を受信した場合に、携帯電話機１０が上記と同様のセキュリティ動作を実行したり、或いは、（２）サーバ２０が、当該サーバ２０から発信する無線信号に対する応答信号を携帯電話機１０の近距離無線手段から受信した場合に、当該サーバ２０が上記と同様のセキュリティ動作を実行したりする。
【００９９】
また、上記においては、携帯端末装置として携帯電話機１０を例示したが、本発明はこの例に限らず、携帯端末装置は、例えば、ＰＨＳ（Ｐｅｒｓｏｎａｌ  Ｈａｎｄｙ  Ｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）であっても良い。
【図面の簡単な説明】
【０１００】
【図１】実施形態に係るセキュリティシステムの全体構成を示すブロック図である。
【図２】携帯電話機の構成を示すブロック図である。
【図３】サーバの構成を示すブロック図である。
【図４】携帯電話機の動作の流れを示すフローチャートである。
【図５】セキュリティレベルに応じた携帯電話機のセキュリティ動作の具体例を示す図である。
【図６】サーバの動作の流れを示すフローチャートである。
【図７】セキュリティレベルに応じたサーバのセキュリティ動作の具体例を示す。
【符号の説明】
【０１０１】
１０    携帯電話機（携帯端末装置）
１５    ＲＦ−ＩＤ
２０    サーバ
４０    特定エリア
１００  セキュリティシステム
【図１】
2008234562.tif 000003
【図２】
2008234562.tif 000004
【図３】
2008234562.tif 000005
【図４】
2008234562.tif 000006
【図５】
2008234562.tif 000007
【図６】
2008234562.tif 000008
【図７】
2008234562.tif 000009